(57)【特許請求の範囲】
【請求項１】
遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、
前記球戻り防止部材は、
発射された遊技球が遊技領域に進入するとき、又は遊技領域から発射通路に逆流しようとするときに接触すると共に、略矩形状に形成されてなる球戻り防止片と、
前記球戻り防止片の下方位置に設けられて、該球戻り防止部材を前記遊技領域に進入する遊技球が接触する前の略直立した待機姿勢から前記接触した後の傾倒姿勢へ揺動可能に軸支する支軸と、を備え、
球戻り防止片は、
前記遊技領域に進入した遊技球に固着されて該遊技球を操作可能な紐体を捕捉する捕捉部と、前記球戻り防止片の上端部に形成されて前記紐体を前記捕捉部に誘導する誘導部と、
球戻り防止部材が前記待機姿勢にあるとき、前記球戻り防止片の上部且つ一側端部に前記遊技領域から発射通路へ向かう方向へ立設されて、前記紐体が誘導部から脱落することを防止する脱落防止部を備えたことを特徴とする弾球遊技機。
【請求項２】
遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、
前記球戻り防止部材は、
発射された遊技球が遊技領域に進入するとき、又は遊技領域から発射通路に逆流しようとするときに接触する球戻り防止片を備え、
球戻り防止片は、
前記遊技領域に進入した遊技球に固着されて該遊技球を操作可能な紐体を捕捉する捕捉部と、前記紐体を前記捕捉部に誘導する誘導部と、
該誘導部から延設されて前記紐体を誘導部へ誘導する延設部を備え、
前記遊技盤は前記延設部との接触を避ける凹部を備えたことを特徴とする弾球遊技機。
【請求項３】
遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、
前記球戻り防止部材は、
発射された遊技球が遊技領域に進入するとき、又は遊技領域から発射通路に逆流しようとするときに接触する球戻り防止片を備え、
球戻り防止片は、
前記遊技領域に進入した遊技球に固着されて該遊技球を操作可能な紐体を捕捉する捕捉部と、前記紐体を前記捕捉部に誘導する誘導部と、
前記紐体が球戻り防止片から脱落することを防止する脱落防止部と、
前記誘導部から延設されて前記紐体を誘導部へ誘導する延設部を備え、
前記遊技盤は前記延設部との接触を避ける凹部を備えたことを特徴とする弾球遊技機。
【請求項４】
請求項１乃至請求項３に記載の弾球遊技機において、
前記捕捉部は、
捕捉した前記紐体を切断可能な切刃部を備えたことを特徴とする弾球遊技機。
【請求項５】
請求項１乃至請求項４に記載の弾球遊技機において、
前記球戻り防止片は、
発射された遊技球が遊技領域に進入するときの接触による通常変位角度と、該通常変位角度より大きな異常変位角度に変位可能であって、
異常変位角度に変位したことを検知可能な異常検知手段と、
検知手段が異常変位角度に変位したと検知した旨を報知する報知手段と、を備えたことを特徴とする弾球遊技機。
【発明の詳細な説明】
【技術分野】
【０００１】
本発明は、球戻り防止部材を備えた弾球遊技機に関するものである。
【背景技術】
【０００２】
従来から、発射した遊技球を発射通路を経由して、入賞口等が配設された遊技領域に進入させ、遊技領域を流下する遊技球の入賞等の結果により遊技者に利益を提供することで遊技を行う構成において、一旦遊技領域に進入した遊技球が再度、発射通路へ逆行（逆流、球戻り）してしまう不具合を解消するために、発射通路の遊技領域側末端部付近に、遊技領域への遊技球の進入を促し、且つ発射通路へ逆行しようとする遊技球を阻止する球戻り防止部材を備えた弾球遊技機が広く知られている。
一方、上述したような、すなわち入賞口等に遊技球が入球するか否かにより遊技者が享受する利益に差が生まれる弾球遊技機に対して、釣糸等を固着させた遊技球を遊技領域に発射し、釣糸等を手元で操作して任意の入賞口の検出スイッチにて反復継続して検出させる等によって、不当な利得を得る所謂糸付き球ゴトが頻繁に発生している。
このような、遊技球に釣糸等のような操作を可能とする紐体を一体的に構成して、本来ならば流下する遊技球の自由な動きに反するように操作することで、何らかの不当利得を得ようとする不正行為に対して、弾球遊技機に設けられるものではないが、不正玉の動きを検出する不正検知機構を備えた技術（例えば、特許文献１参照）が考案されている。
【先行技術文献】
【特許文献】
【０００３】
【特許文献１】特開平１０−８５４４１号公報
【発明の概要】
【発明が解決しようとする課題】
【０００４】
しかし、特許文献１に記載の技術を弾球遊技機に適用したとしても、不正行為が為された事実を検知することが出来るに留まり、糸付き球を用いた不正行為そのものが容易に行えるという状態に変わりは無く、糸付き球ゴトに対する抑止力とはならなかった。
本願発明は係る課題に鑑みなされたものであり、糸付き球ゴトに対して、糸（紐体）を捕捉して遊技球の自由な操作を制限することにより、当該不正行為を困難或いは不能とすることを目的とする。
【課題を解決するための手段】
【０００６】
上記課題を解決するためになされた本発明の請求項１に記載の弾球遊技機は、遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、前記球戻り防止部材は、発射された遊技球が遊技領域に進入するとき、又は遊技領域から発射通路に逆流しようとするときに接触すると共に、略矩形状に形成されてなる球戻り防止片と、前記球戻り防止片の下方位置に設けられて、該球戻り防止部材を前記遊技領域に進入する遊技球が接触する前の略直立した待機姿勢から前記接触した後の傾倒姿勢へ揺動可能に軸支する支軸と、を備え、球戻り防止片は、前記遊技領域に進入した遊技球に固着されて該遊技球を操作可能な紐体を捕捉する捕捉部と、前記球戻り防止片の上端部に形成されて前記紐体を前記捕捉部に誘導する誘導部と、球戻り防止部材が前記待機姿勢にあるとき、前記球戻り防止片の上部且つ一側端部に前記遊技領域から発射通路へ向かう方向へ立設されて、前記紐体が誘導部から脱落することを防止する脱落防止部を備えたことを特徴とする。
【０００７】
請求項２に記載の弾球遊技機は、遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、前記球戻り防止部材は、発射された遊技球が遊技領域に進入するとき、又は遊技領域から発射通路に逆流しようとするときに接触する球戻り防止片を備え、球戻り防止片は、前記遊技領域に進入した遊技球に固着されて該遊技球を操作可能な紐体を捕捉する捕捉部と、前記紐体を前記捕捉部に誘導する誘導部と、該誘導部から延設されて前記紐体を誘導部へ誘導する延設部を備え、前記遊技盤は前記延設部との接触を避ける凹部を備えたことを特徴とする。
【０００８】
請求項３に記載の弾球遊技機は、遊技盤に設けられて遊技球が流下する遊技領域と、発射された前記遊技球が発射通路から前記遊技領域へ進入することを許容すると共に遊技領域から前記発射通路に逆流することを防止する球戻り防止部材を備えた弾球遊技機において、前記球戻り防止部材は、発射された遊技球が遊技領域に進入するとき、又は遊技領域から発射通路に逆流しようとするときに接触する球戻り防止片を備え、球戻り防止片は、前記遊技領域に進入した遊技球に固着されて該遊技球を操作可能な紐体を捕捉する捕捉部と、前記紐体を前記捕捉部に誘導する誘導部と、前記紐体が球戻り防止片から脱落することを防止する脱落防止部と、前記誘導部から延設されて前記紐体を誘導部へ誘導する延設部を備え、前記遊技盤は前記延設部との接触を避ける凹部を備えたことを特徴とする。
【０００９】
請求項４に記載の本発明は、請求項１乃至請求項３に記載の弾球遊技機において、前記捕捉部は、捕捉した前記紐体を切断可能な切刃部を備えたことを特徴とする。
【００１０】
請求項５に記載の本発明は、請求項１乃至請求項４に記載の弾球遊技機において、前記球戻り防止片は、発射された遊技球が遊技領域に進入するときの接触による通常変位角度と、該通常変位角度より大きな異常変位角度に変位可能であって、異常変位角度に変位したことを検知可能な異常検知手段と、検知手段が異常変位角度に変位したと検知した旨を報知する報知手段と、を備えたことを特徴とする。
【発明の効果】
【００１４】
請求項１に記載の弾球遊技機によれば、球戻り防止片が遊技領域から発射通路へ逆行する球戻りを阻止し且つ発射された遊技球が発射通路から遊技領域へ進入する際にこれを誘導する機能を維持しつつ、遊技球に紐体が固着されているとき、球戻り防止片が紐体を支持し、誘導部が該紐体を捕捉部へ誘導し、誘導された紐体を捕捉部が堅固に捕捉するので、紐体の自由な操作を困難として、不正行為者に対して不当な利得を与えないようにすることが可能となる。
【００１５】
また、捕捉部は不正行為を目的として遊技球に固着された紐体を捕捉し、誘導部は紐体を捕捉部に誘導するためにのみ機能するので、正規の遊技球には何ら作用せず、糸付き球ゴトに係る紐体が固着された遊技球が遊技領域に進入した場合にのみ機能することが可能となる。したがって、紐体が存在する場合には自動的に機能するので、不正な紐体の存否を検出する特別な装置を備える必要がない。
【００１６】
また、紐体の自由な操作を制限するための機能として、誘導部および補足部を、遊技盤に配設される球戻り防止部材に備えたことで、不正行為への対策が為されていることを、不正行為者に対して一目瞭然に明示することができ、視認不能な箇所での対処と比較して、不正行為への予防効果が期待できる。
【００１７】
さらに、球戻り防止片の上端部にて一旦は支持した紐体が、遊技盤側またはガラス板側の間隙に脱落することを防止する脱落防止部を備えたので、球戻り防止片で一度支持した紐体は高い確率で誘導部を経て捕捉部へ移送可能となる。
【００１８】
請求項２に記載の弾球遊技機によれば、球戻り防止片が遊技領域から発射通路へ逆行する球戻りを阻止し且つ発射された遊技球が発射通路から遊技領域へ進入する際にこれを誘導する機能を維持しつつ、遊技球に紐体が固着されているとき、球戻り防止片が紐体を支持し、誘導部が該紐体を捕捉部へ誘導し、誘導された紐体を捕捉部が堅固に捕捉するので、紐体の自由な操作を困難として、不正行為者に対して不当な利得を与えないようにすることが可能となる。
【００１９】
また、捕捉部は不正行為を目的として遊技球に固着された紐体を捕捉し、誘導部は紐体を捕捉部に誘導するためにのみ機能するので、正規の遊技球には何ら作用せず、糸付き球ゴトに係る紐体が固着された遊技球が遊技領域に進入した場合にのみ機能することが可能となる。したがって、紐体が存在する場合には自動的に機能するので、不正な紐体の存否を検出する特別な装置を備える必要がない。
【００２０】
また、紐体の自由な操作を制限するための機能として、誘導部および補足部を、遊技盤に配設される球戻り防止部材に備えたことで、不正行為への対策が為されていることを、不正行為者に対して一目瞭然に明示することができ、視認不能な箇所での対処と比較して、不正行為への予防効果が期待できる。
【００２１】
さらに、遊技領域側またはガラス板側の間隙に進入する軌道をとる紐体を、誘導部から連なって延びるように設けられた延設部によって誘導するので、より広範囲に亘って不正な紐体を確実に捕獲し、ひいては堅固な捕捉によって自由な操作を阻止することが可能となる。
また、延設部に干渉しない凹部を遊技盤に設けることにより、遊技盤に近接した軌道をとる紐体であっても捕獲することが可能となる。
【００２２】
請求項３に記載の弾球遊技機によれば、球戻り防止片が遊技領域から発射通路へ逆行する球戻りを阻止し且つ発射された遊技球が発射通路から遊技領域へ進入する際にこれを誘導する機能を維持しつつ、遊技球に紐体が固着されているとき、球戻り防止片が紐体を支持し、誘導部が該紐体を捕捉部へ誘導し、誘導された紐体を捕捉部が堅固に捕捉するので、紐体の自由な操作を困難として、不正行為者に対して不当な利得を与えないようにすることが可能となる。
【００２３】
また、捕捉部は不正行為を目的として遊技球に固着された紐体を捕捉し、誘導部は紐体を捕捉部に誘導するためにのみ機能するので、正規の遊技球には何ら作用せず、糸付き球ゴトに係る紐体が固着された遊技球が遊技領域に進入した場合にのみ機能することが可能となる。したがって、紐体が存在する場合には自動的に機能するので、不正な紐体の存否を検出する特別な装置を備える必要がない。
【００２４】
また、紐体の自由な操作を制限するための機能として、誘導部および補足部を、遊技盤に配設される球戻り防止部材に備えたことで、不正行為への対策が為されていることを、不正行為者に対して一目瞭然に明示することができ、視認不能な箇所での対処と比較して、不正行為への予防効果が期待できる。
【００２５】
また、球戻り防止片の上端部にて一旦は支持した紐体が、遊技盤側またはガラス板側の間隙に脱落することを防止する脱落防止部を備えたので、球戻り防止片で一度支持した紐体は高い確率で誘導部を経て捕捉部へ移送可能となる。
【００２６】
さらに、遊技領域側またはガラス板側の間隙に進入する軌道をとる紐体を、誘導部から連なって延びるように設けられた延設部によって誘導するので、より広範囲に亘って不正な紐体を確実に捕獲し、ひいては堅固な捕捉によって自由な操作を阻止することが可能となる。
また、延設部に干渉しない凹部を遊技盤に設けることにより、遊技盤に近接した軌道をとる紐体であっても捕獲することが可能となる。
【００２７】
請求項４に記載の弾球遊技機によれば、捕捉部にて紐体の堅固な捕捉が為されることで紐体の操作性を不自由にするに加えて、不正行為者がさらに操作しようとして加圧すると、切刃部によって紐体を切断するので、不正行為者の紐体による操作は完全に不能とすることが可能となる。切断後の紐体が固着された遊技球は、機内に残留することで、不正行為の証拠品として没収でき、該遊技球を使って当該不正行為者が同様の不正行為を為すことを防止できる。
【００２８】
請求項５に記載の弾球遊技機によれば、遊技球に固着された紐体が、球戻り防止片の上端部にて支持されたときに変位可能な異常変位角度を異常検知手段が検知可能であるので、糸付き球ゴトが実行されたことを簡易な装置によって確実且つ速やかに認知することが可能となる。また、異常発生の旨を報知手段にて報知するので、不正行為に対する処理が迅速に行えるとともに、不正行為を抑止する効果も奏する。
【図面の簡単な説明】
【００２９】
【図１】本発明に係る実施例１のパチンコ機に設けられた遊技盤１の正面図
【図２】本実施例の球戻り防止部材３０の構成を説明する概略斜視図
【図３】球戻り防止部材３０の発射球２０に対する作用を説明する概略説明図
【図４】球戻り防止部材３０の発射球２０に対する作用を説明する概略説明図
【図５】球戻り防止部材３０の操作糸２１に対する作用を説明する概略説明図
【図６】球戻り防止部材３０の操作糸２１に対する作用を説明する概略側面図
【図７】球戻り防止部材３０の操作糸２１に対する作用を説明する概略説明図
【図８】球戻り防止部材３０の操作糸２１に対する作用を説明する概略側面図
【図９】実施例２の球戻り防止部材１３０の構成を説明する概略斜視図
【図１０】球戻り防止部材１３０の操作糸２１ａ、２１ｂに対する作用を説明する概略説明図
【図１１】球戻り防止部材１３０の操作糸２１ａ、２１ｂに対する作用を説明する概略側面図
【図１２】球戻り防止部材１３０の操作糸２１ａ、２１ｂに対する作用を説明する概略説明図
【図１３】球戻り防止部材１３０の操作糸２１ａ、２１ｂに対する作用を説明する概略側面図
【図１４】実施例３の本実施例の異常検知手段を備えた球戻り防止部材３０の構成を説明する概略説明図
【図１５】実施例３の本実施例の異常検知手段を備えた球戻り防止部材３０の構成を説明する概略説明図
【図１６】変形例１乃至５の球戻り防止部材を説明する概略説明図
【図１７】変形例６乃至９の球戻り防止部材を説明する概略説明図
【図１８】実施例４の構成を説明する概略三面図
【発明を実施するための形態】
【００３０】
以下に本発明の好適な実施形態について説明する。なお、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［実施例１］
【００３１】
先ず、本発明のパチンコ機は、図示しない発射ハンドルを備え、該発射ハンドルを遊技者が操作することにより遊技球を発射し、発射された遊技球が後述する発射通路１５を経由して遊技領域３に打ち込まれるように構成されており、この点も含めて全体的な構成は、公知技術に従っているため、便宜上、図示及び説明を省略する。
【００３２】
図１は、本発明に係る実施例１の弾球遊技機としてのパチンコ機に設けられた遊技盤１の正面図である。図１に示すように、本実施例のパチンコ機の遊技盤１には、外レールセット２ａ及び内レールセット２ｂによって略円形の遊技領域３が形成されている。遊技領域３の左側外周部には、外レールセット２ａ及び内レールセット２ｂによって形成されて且つ発射された遊技球が誘導される発射通路１５が設けられている。発射通路１５の末端部、換言すれば発射通路１５と遊技領域３の境界付近には、本発明の要部である球戻り防止片４０を具備してなる球戻り防止部材３０が配設されている。球戻り防止部材３０については、後で詳述する。
【００３３】
この遊技領域３のほぼ中央部には、センターケース５が装着されている。センターケース５の左側方には、普図作動入賞口１６が設けられている。普図作動入賞口１６の内部には、図示しない普図作動入賞検知スイッチが内蔵されている。普図作動入賞検知スイッチが遊技球の通過を検出することで、入賞と判断される。こうして、普図作動入賞口１６に遊技球が入賞すると、普通図柄の当否抽選用の複数種類の乱数が抽出されて、抽出された乱数に基づく当否判定（普通図柄抽選）が行われる。また、当該入賞により、賞球として所定個数（例えば、３個）の遊技球が払い出される。
【００３４】
センターケース５の直下には、遊技球の入球に起因して、特別図柄（特図とも記載）の変動表示を伴う大当り抽選が行われる第１特図始動口１１及び第２特図始動口１２が、上下に並んで配設されている。第１特図始動口１１は、常時遊技球が入賞可能に構成されているが、第２特図始動口１２は、上述した普通図柄抽選による当選時のみに遊技球が入賞可能に開放される普通電動役物により構成されている。
【００３５】
第１特図始動口１１及び第２特図始動口１２に遊技球が入球すると、複数種類の乱数が抽出され、即時変動表示が開始出来ない場合には、特図の保留記憶として記憶される。
【００３６】
第２特図始動口１２の下方には、大当り抽選により大当りとなると実行される大当り遊技の際に開放される特別電動役物からなる大入賞口１４が配設されている。また、遊技領域３の右側下部には、入賞によって単に賞球を発生させるだけの機能を備えた一般入賞口13が複数配設されている。
【００３７】
遊技盤１の右側下部の領域には、７セグメントの表示装置で構成されると共に、第１特図始動口１１及び第２特図始動口１２への入球に基づいて特別図柄を変動表示する第１特図表示装置９及び第２特図表示装置１０が上下に配設されている。
また、各々４個のＬＥＤで構成される共に、第１特図始動口１１及び第２特図始動口１２への入球に基づいて記憶された特図の保留記憶の個数を表示する第１特図保留数表示装置１７及び第２特図保留数表示装置１８が上下に配設されている。また、４個のＬＥＤで構成される共に、普図作動入賞口１６への入賞に基づいて記憶された普図の保留記憶の個数を表示する普図保留数表示装置８と、同じく、２個のＬＥＤで構成される共に、普図作動入賞口１６への入賞に基づいて普通図柄の変動表示を行う普通図柄表示装置７を備える。
【００３８】
センターケース５の中央には、ＬＣＤパネルで構成された演出図柄表示装置６（全体の図示は省略）が配設され、ＬＣＤパネルの画面上では、特別図柄の変動表示に対応した演出図柄の変動表示を行うことにより、大当たり抽選の結果を報知する大当り演出が実行される。また、センターケース５には、周知のものと同様にワープ入口、ワープルート、及びステージ等が設けられている。
そして、遊技領域３の表面（前面）には、適宜の箇所に多数の遊技釘４が植設され、遊技領域３の最下部には、遊技領域３に配設された何れの入賞口や入球口にも入球しなかった遊技球を取り込むアウト口が設けられている。
【００３９】
なお、本実施例のパチンコ機の遊技盤１の前方には、遊技盤１と略平行に所定の間隙（例えば、１９ｍｍ）をおいて遊技盤１を透視可能なガラス板４６が設けられている。発射された遊技球は、遊技盤１の表面とガラス板４６の裏面で形成される空間を上昇或いは下降して変位するものである。更にいえば、発射された遊技球は、遊技盤１の表面、ガラス板４６の裏面、外レールセット２ａ、及び内レールセット２ｂとで形成される発射通路１５を上昇変位し、球戻り防止部材３０の球戻り防止片４０に接触すると、該接触により回動（揺動）変位する球戻り防止部材３０に誘導されて、遊技領域３に進入する。本実施例の球戻り防止片４０は、遊技盤１の前面及びガラス板４６の裏面との間に揺動を可能とする程度の間隙を設けて構成されている。
次に、本発明の要部である球戻り防止部材３０の構成について図２を参照して説明する。
【００４０】
図２は、本実施例の球戻り防止部材３０の構成を説明する概略斜視図である。
図２（ｂ）に示すように、球戻り防止部材３０は、球戻り防止片４０と、該球戻り防止片４０を保持する球戻り防止片保持体３４と、球戻り防止部材３０を遊技領域３の所定位置にて揺動自在に軸支するための支軸３５と、軸支された球戻り防止部材３０の姿勢を所定の位置に調整するための錘体３６と、を備える。
【００４１】
図２（ａ）に示すように、球戻り防止片４０は、略縦長の矩形状且つ薄板状に形成されてなる球戻り防止片基体４０ｅと、球戻り防止片基体４０ｅの下端部に一体的に構成され且つ球戻り防止片基体４０ｅの厚みよりも大きな直径で形成される略円柱状の抜止部４０ｄを備える。
球戻り防止片基体４０ｅの上部には、図示左右方向の略中央位置に上下方向に向かって糸捕捉スリット部４０ｃが設けられている。糸捕捉スリット部４０ｃの幅寸法、すなわち該糸捕捉スリット部４０ｃによって左右に分割された球戻り防止片基体４０ｅの左右部分の間隙は、糸付き球ゴトに用いられる操作糸２１（図３参照）の直径寸法よりも小さく、該糸捕捉スリット部４０ｃに操作糸２１が臨んだ際に、所定の加圧によって締まり嵌めして、操作糸２１を堅固に捕捉する程度のクリアランスが好ましい。糸捕捉スリット部４０ｃは、本発明の捕捉部である。
また、球戻り防止片基体４０ｅの上部には、夫々左右上方から糸捕捉スリット部４０ｃに向けて図示した下り曲線状に形成される左糸誘導部４０ａと右糸誘導部４０ｂを備える。該左糸誘導部４０ａと右糸誘導部４０ｂは、操作糸２１を糸捕捉スリット部４０ｃへ誘導するための手段であり、本発明の誘導部である。
【００４２】
糸付き球が発射されると、遊技球は上記した構成の球戻り防止片４０の図示裏面側に接触（衝突）して球戻り防止部材３０を回転させて遊技領域３に進入し、遊技球に固着された紐体としての操作糸は遊技領域３に進入する遊技球に引き張られながら球戻り防止片４０の裏面側および球戻り防止片４０の上端部すなわち、左糸誘導部４０ａ、右糸誘導部４０ｂ、と糸捕捉スリット部４０ｃを含む略縦長の矩形状の上側短辺部の何れかの箇所にて支持されるように構成されている。以下の実施例や変形例においても、紐体としての操作糸を支持する球戻り防止片の上端部とは、上記した略縦長の矩形状の上側短辺部の何れかの箇所を示唆するものである。但し、必ずしも略縦長の矩形状の上側短辺部である必要はなく、糸付き球が通過した後で該遊技球に引き張られる紐体を支持する構成であれば他の構成であっても良い。
【００４３】
球戻り防止片保持体３４は、球戻り防止片４０を保持するものであり、ガラス板４６の裏面側に近く配設される第１保持体３２と、遊技盤１の表面側に近く配置される第２保持体３３で構成される。
第１保持体３２は、図示したように断面異形状の柱状体で形成され、右裏面側には球戻り防止片４０が挿入可能な溝部３２ｂが設けられ、更に後述する支軸３５が挿入される支軸孔３２ａ、錘体３６が嵌入される錘体嵌入穴３２ｆ、及び取付螺子３７ａ、３７ｂが挿通される螺子挿通孔３２ｃ、３２ｄ、が設けられている。また、右下部には保持体当接面部３２ｅが設けられている。
第２保持体３３は、第１保持体３２と同じく図示したように断面異形状の柱状体で形成されている。左表面側には球戻り防止片４０が挿入可能な溝部３３ｂが設けられ、支軸３５が挿入される支軸孔３３ａ、及び取付螺子３７ａ、３７ｂが螺着される螺子取付孔３３ｃ、３３ｄ、が設けられている。また、右下部には保持体当接面部３３ｅが設けられている。
【００４４】
図２（ａ）を参照して、上述した球戻り防止部材３０の組み付け方法を説明する。
先ず、球戻り防止片４０を溝部３２ｂ、３３ｂに嵌め込み、第１保持体３２と第２保持体３３を互いに当接させ、取付螺子３７ａ、３７ｂを、螺子挿通孔３２ｃ、３２ｄに挿通し、螺子取付孔３３ｃ、３３ｄにて螺着することで、球戻り防止片保持体３４から球戻り防止片４０が抜けないように構成されている。次に、支軸３５を支軸孔３２ａ、３３ａに挿通して図示所定位置で公知技術によって固定し、この際に遊技盤１側の方がガラス板４６側の方よりもやや長めに突出して固定されるようになっている。そして、錘体３６を錘体嵌入穴３２ｆに嵌め込むことで組みつけが完了する。このように組みつけられた本実施例の球戻り防止部材３０は、図３に示すように、遊技盤１の表面側に取り付けられる。図３を参照して本実施例の球戻り防止部材３０の取り付け状態を説明する。
【００４５】
本実施例の球戻り防止部材３０は、支軸３５を遊技盤１の表面側に対して略垂直に挿入することにより球戻り防止片４０が遊技盤１に対して直交する状態で揺動可能に軸支される。内レールセット２ｂの構成を説明すると共に、併せて球戻り防止部材３０の取り付け状態を詳述する。
内レールセット２ｂは、図示湾曲したレール体の上端部に該レール体等を一体的に取り付けるための内レールセット取付基板２３を備える。内レールセット取付基板２３は、図示しない他の取付機構と協働して、内レールセット２ｂを螺子等によって螺着することで遊技盤１に取り付ける。内レールセット取付基板２３は、断面逆Ｃ字状であって、且つ図示前方に向かって所定の高さ（球戻り防止部材３０が内蔵可能な高さ）で形成されるハウジング部材２４（ハッチングにより図示）を備える。また、内レールセット取付基板２３には、上述したように、支軸３５を挿入可能な孔部が穿設されており、支軸３５の後端部を支持する。さらに、図３では便宜上省略したが、ハウジング部材２４のハッチングした面部に当接すると共に支軸３５の前端部を支持する穴部を備えたハウジングカバー（図１参照）を備える。これにより、支軸３５の前後両端部は、遊技盤１に対して直交して支持されるように構成されている。
図３の球戻り防止部材３０は、遊技球による作用を受けていない、すなわち待機姿勢にある状態が示されている。錘体３６は、支軸３５の左斜め下方位置に設けられている。また、球戻り防止部材３０の斜め右下部には上述した保持体当接面部３２ｅ、３３ｅが設けられており（図４参照）、これに当接するハウジング部材２４の内壁部にはハウジング部材当接面部２４ａが設けられている。
【００４６】
これにより、支軸３５を中心にして揺動自在な球戻り防止部材３０は、錘体３６が支軸３５の左斜め下方に位置する不安定な状態から、錘体３６が支軸３５の略直下に位置する安定した状態に変位しようとすることによって、回転力が発生するが、保持体当接面部３２ｅ、３３ｅがハウジング部材当接面部２４ａに当接することによってこれを規制すると共に、図３に示す待機姿勢から更に反時計回転方向に回転することを防止するように構成される。当該待機姿勢において、発射された遊技球２１が球戻り防止片４０に衝突（干渉）することで、球戻り防止部材３０が時計回転方向に回転（図４参照）しても、上記構成の作用により、速やかに待機姿勢に復帰するように構成されている。また、待機姿勢における球戻り防止片４０の上端部と外レールセット２ａとの間隙は、遊技球２０の直径寸法よりも小さく設定されており、これにより遊技領域３からの球戻りを防止している。
本実施例の球戻り防止部材３０は、以上のような構成を備えるものであるが、次にその作用について説明する。
【００４７】
先ず、基本的な球戻り防止作用について、図３及び図４を参照して説明する。図３及び図４は、球戻り防止部材３０の発射球２０に対する作用を説明する概略説明図である。
図３に示すように、球戻り防止部材３０は待機姿勢に位置しており、当該状態において球戻り防止片４０の上端部と外レールセット２ａとの間隙からは、遊技領域３から逆行して再度発射通路１５へ球戻りしようとする遊技球を阻止することが可能な状態となっている。この構成は、発射通路１５から遊技領域３へ進入する遊技球に対しては、必ず球戻り防止片４０に接触するように作用するものである。
このとき、糸付き球ゴトに使用される操作糸２１が固着された遊技球２０が発射されると、発射通路１５を上昇して、遊技領域３との境界に配設された球戻り防止部材３０の球戻り防止片４０に向けて進行する。
進行した遊技球２０が球戻り防止片４０に接触し、更に進行すると、図４に示す状態となる。球戻り防止片４０は、遊技球２０に加圧され、該加圧によって球戻り防止部材３０は支軸３５を中心に時計回転方向に回転変位する。該回転変位により球戻り防止片４０の上端部と外レールセット２ａとの間隙が遊技球２０の通過可能な大きさとなると、遊技球２０は球戻り防止片４０の干渉から開放されて、遊技領域３に進入する。球戻り防止部材３０は、発射された遊技球２０が遊技領域３に進入する際に、これを許容し誘導するように構成されている。但し、遊技球２０が球戻り防止片４０の干渉から開放されても、球戻り防止片４０は操作糸２１に対しての干渉（接触）を維持し、更に本発明の作用として、操作糸２１を捕捉するように作用する。
なお本実施例では、球戻り防止片４０が発射された遊技球２０の作用により時計回転方向に最も回転しても、ハウジング部材２４の上端部には接触しないように構成されている。
遊技球２０の遊技領域３への進入が完了すると、支軸３５に対して偏芯して設けられた錘体３６の作用により、球戻り防止部材３０は速やかに反時計回転方向に回転して元の待機姿勢に復帰する。このとき、遊技球２０に固着された操作糸２１は、球戻り防止片４０の上端部に、高い確率で引っ掛かることになる。
【００４８】
次に、本実施例のより詳細な作用について、図５乃至図８を参照して説明する。図５及び図７は、球戻り防止部材３０の操作糸２１に対する作用を説明する概略説明図であり、図６及び図８は、球戻り防止部材３０の操作糸２１に対する作用を説明する概略側面図である。
糸付き球ゴトに係る操作糸２１が固着された遊技球２０が、遊技領域３に発射された直後の状態を図５に示した。このとき、不正行為者は、遊技領域３に到達した遊技球２０を、普図作動入賞口１６に反復継続して入賞させて不当に利得を得るために、操作糸２１の遊技球２０に固着された部分の反対側の部分を押し引きして操作することで、任意の位置に配置しようと試みる。操作される操作糸２１は、このとき、球戻り防止片４０の図示上端部を頂点として、遊技釘４等に掛け渡されて、略山形の状態にある。更にいえば、球戻り防止片４０の図示上端部を頂点として、遊技球２０に固着された側（図示右側）には遊技球２０の質量に対応した下向きの荷重が掛かり、対する反対側（図示左側）には、前記荷重と略同じ大きさの荷重が下向きに加えられることで、均衡を保っている。不正行為者が、操作糸２１を押し引き操作すると、左右両側の操作糸２１は、図示矢印のように進退する。合わせて、球戻り防止片４０も揺動し、図示円弧矢印のように、頂点を変位させる。
【００４９】
図６には、当該状態を側面から見た図を示した。図には、球戻り防止部材３０に係る、球戻り防止片４０の図示上端部すなわち左糸誘導部４０ａの上部に、操作糸２１の断面を円形で示した。なお、左糸誘導部４０ａの上部に操作糸２１がある状態を示したが、この点、右糸誘導部４０ｂであっても、下記作用は同じである。
上述したように、図示した操作糸２１の断面位置を頂点として、操作糸２１の両側は上述した下向き荷重が加わっており、該頂点にはこれらの荷重に対応した下向きの荷重が加わっている。左糸誘導部４０ａ及び右糸誘導部４０ｂは、上述したように、糸捕捉スリット部４０ｃに向けて、夫々左右上方から下り曲線状に形成されてなる。これにより、本発明の誘導部としての左糸誘導部４０ａ及び右糸誘導部４０ｂは、操作糸２１を下方すなわち糸捕捉スリット部４０ｃへ誘導する作用を為す。更に、操作糸２１の左糸誘導部４０ａの上部に掛かった頂点位置には、上述した荷重が加えられており、この状態で操作糸２１の操作によって進退すると、左糸誘導部４０ａはより効果的に操作糸２１を糸捕捉スリット部４０ｃへ誘導可能となる。このように、左糸誘導部４０ａ或いは右糸誘導部４０ｂによって操作糸２１が糸捕捉スリット部４０ｃへ誘導されると、次いで図７及び図８に示す状態となる。
【００５０】
図７には、操作糸２１が左糸誘導部４０ａ或いは右糸誘導部４０ｂによって糸捕捉スリット部４０ｃへ誘導されて糸捕捉スリット部４０ｃに捕捉されたことにより、遊技球２０に固着された操作糸２１の頂点位置は、図５に示した位置よりも下方に変位している状態が示されている。糸捕捉スリット部４０ｃに操作糸２１が捕捉されると、不正行為者による操作糸２１の操作が極めて困難になる。すなわち、糸捕捉スリット部４０ｃに捕捉された位置から図示右側の遊技球２０までの長さは変化せず、一方左側の部分は、不正行為者が押すと撓み、引くと一定位置を限界としてそれ以上は引くことが不能となる。
【００５１】
図８には、当該状態を側面から見た図を示した。図６に示した操作糸２１が左糸誘導部４０ａの下り曲線に沿って誘導されて、糸捕捉スリット部４０ｃに臨むと、上述した下方向への荷重により、糸捕捉スリット部４０ｃは操作糸２１を堅固に捕捉するように作用する。
これにより、糸付き球ゴトに対して、操作糸２１が固着された遊技球２０が発射されると、本実施例の球戻り防止部材３０の球戻り防止片４０は、遊技球２０を遊技領域３に向かって誘導し且つ遊技球２０が遊技領域３へ進入することを許容する。また、遊技領域３から発射通路１５の逆行する球戻りを阻止する。更に、遊技領域３に進入した遊技球２０に固着された操作糸２１を、左糸誘導部４０ａ或いは右糸誘導部４０ｂにて支持し、該左糸誘導部４０ａ或いは右糸誘導部４０ｂにて糸捕捉スリット部４０ｃに誘導し、次いで糸捕捉スリット部４０ｃにて操作糸２１を堅固に捕捉（保持）することで、操作糸２１の操作を著しく困難にするように構成される。
【００５２】
なお、本実施例の球戻り防止片４０は、左糸誘導部４０ａ及び右糸誘導部４０ｂが糸捕捉スリット部４０ｃに向かって下り曲線状に形成される構成となっている。さらに詳述すると、左糸誘導部４０ａ及び右糸誘導部４０ｂは、球戻り防止片基体４０ｅ（図２参照）の左右上端角部を起点として、夫々糸捕捉スリット部４０ｃの上端部にて収束する線対称の下り曲線状に形成されてなる。このように構成されることによって、球戻り防止片基体４０ｅの上端部の何れの位置で操作糸２１を支持しても、常に糸捕捉スリット部４０ｃに誘導可能である。また、左右上端角部から曲線が形成されるので、左右上端部が鋭角にならず、パチンコ機の組み立て作業やホールでのメンテナンス作業等においても、充分な安全性を確保可能となっている。
［実施例２］
【００５３】
本発明に係る実施例２の構成について、図９を参照して説明する。図９は、本実施例の球戻り防止部材１３０の構成を説明する概略斜視図である。
図９（ｂ）に示すように、球戻り防止部材１３０は、球戻り防止片１４０と、該球戻り防止片１４０を保持する球戻り防止片保持体１３４と、球戻り防止部材１３０を遊技領域３の所定位置にて揺動自在に軸支するための支軸１３５と、軸支された球戻り防止部材１３０の姿勢を所定の位置に調整するための錘体１３６と、を備える。球戻り防止片１４０は、第１球戻り防止片１４１と、第２球戻り防止片１４２で構成される。第１球戻り防止片１４１と第２球戻り防止片１４２が図示前後に重ね合わせて組みつけられた際に形成される略Ｖ字状の最下位置に、糸捕捉谷部１４３が設けられている。
【００５４】
図９（ａ）に示すように、第１球戻り防止片１４１は、略台形状且つ薄板状に形成されてなる第１球戻り防止片基体１４１ａと、第１球戻り防止片基体１４１ａの下端部に一体的に構成され且つ図示前方に向かって立設される第１抜止部１４１ｄと、第１球戻り防止片基体１４１ａの図示右側上端部から左側斜め下方に向かって下り傾斜した斜辺状に形成されてなる第１糸誘導部１４１ｂと、第１球戻り防止片基体１４１ａの図示右側上部から、図示右側方向すなわち遊技盤１の方向（図１１参照）に向かって延設されてなる略薄板状且つ略矩形状に形成された球戻り防止片延設部１４１ｅと、を備える。更に、第１糸誘導部１４１ｂの略中央には、図示裏面から図示表面に向かって下り傾斜して、操作糸を切断するための第１切刃部１４１ｃが形成される。
【００５５】
第２球戻り防止片１４２は、略台形状且つ薄板状に形成されてなる第２球戻り防止片基体１４２ａと、第２球戻り防止片基体１４２ａの下端部に一体的に構成され且つ図示後方に向かって立設される第２抜止部１４２ｄと、第２球戻り防止片基体１４２ａの図示左側上端部から右側斜め下方に向かって下り傾斜した斜辺状に形成されてなる第２糸誘導部１４２ｂと、第２球戻り防止片基体１４２ａの図示左側上部から、図示後側方向すなわち遊技盤１に取り付けられた状態での遊技領域３から発射通路１５への方向（図１０参照）に向かって立設されてなる略薄板状且つ略三角形状に形成された球戻り防止片起立部１４２ｅと、を備える。更に、第２糸誘導部１４２ｂの略中央には、図示表面から図示裏面に向かって下り傾斜して、操作糸を切断するための第２切刃部１４２ｃが形成される。
【００５６】
球戻り防止片保持体１３４は、上述したように、第１球戻り防止片１４１と第２球戻り防止片１４２で構成される球戻り防止片１４０を保持するものであり、ガラス板１４６の裏面側に近く配設される第１保持体１３２と、遊技盤１の表面側に近く配置される第２保持体１３３で構成される。
第１保持体１３２は、図示したように断面異形状の柱状体で形成され、右裏面側には球戻り防止片１４０が挿入可能な溝部１３２ｂが設けられ、更に後述する支軸１３５が挿入される支軸孔１３２ａ、錘体１３６が嵌入される錘体嵌入穴１３２ｆ、及び取付螺子１３７ａ、１３７ｂが挿通される螺子挿通孔１３２ｃ、１３２ｄ、が設けられている。また、右下部には保持体当接面部１３２ｅが設けられている。
第２保持体１３３は、第１保持体１３２と同じく図示したように断面異形状の柱状体で形成されている。左表面側には球戻り防止片１４０が挿入可能な溝部１３３ｂが設けられ、支軸１３５が挿入される支軸孔１３３ａ、及び取付螺子１３７ａ、１３７ｂが螺着される螺子取付孔１３３ｃ、１３３ｄ、が設けられている。また、右下部には保持体当接面部１３３ｅが設けられている。
【００５７】
図９（ａ）を参照して、上述した球戻り防止部材１３０の組み付け方法を説明する。
先ず、すなわち図９（ｂ）に示したように、第１球戻り防止片１４１と第２球戻り防止片１４２を前後に重ね合わせて構成される球戻り防止片１４０を、溝部１３２ｂ、１３３ｂに嵌め込み、第１保持体１３２と第２保持体１３３を互いに当接させ、取付螺子１３７ａ、１３７ｂを、螺子挿通孔１３２ｃ、１３２ｄに挿通し、螺子取付孔１３３ｃ、１３３ｄにて螺着することで、球戻り防止片保持体１３４から球戻り防止片１４０が抜けないように、構成されている。次に、支軸１３５を支軸孔１３２ａ、１３３ａに挿通して図示所定位置で公知技術によって固定し、このとき遊技盤１側の方がガラス板１４６側の方よりもやや長めに突出して固定されるようにしてある。そして、錘体１３６を錘体嵌入穴１３２ｆに嵌め込むことで組みつけが完了する。このように組みつけられた本実施例の球戻り防止部材１３０は、図１０及び図１１に示すように、遊技盤１の表面側に取り付けられる。図１０及び図１１を参照して本実施例の球戻り防止部材１３０の取り付け状態を説明する。
【００５８】
本実施例の球戻り防止部材１３０は、支軸１３５を遊技盤１の表面側に対して略垂直に挿入することにより球戻り防止片１４０が遊技盤１に対して直交する状態で揺動可能に軸支される。内レールセット２ｂの構成、またハウジング部材２４及び球戻り防止片保持体１３４の構成及び作用等に関しては、上述した実施例１と同様であるため説明を省略する。
遊技盤１の表面側には、本実施例の球戻り防止部材１３０が組みつけられたときに、上述した球戻り防止片延設部１４１ｅが接触しないため、また球戻り防止部材１３０が揺動した際に干渉しないように、支軸１３５を中心として、図示湾曲した長円形状に形成される所定深さの、延設部用凹部１４５を備える。
本実施例の球戻り防止片延設部１４１ｅは、球戻り防止部材１３０が遊技盤１に取り付けられたときに球戻り防止片１４０と遊技盤１の表面側（遊技領域３）との間に形成される遊技盤側間隙１４８の上方を被覆するように構成されている。
また、上述したように、第１球戻り防止片１４１と第２球戻り防止片１４２が図示前後に重ね合わせて組みつけられた際に形成される略Ｖ字状の最下位置に、すなわち、第１糸誘導部１４１ｂ及び第２糸誘導部１４２ｂの延長線上、更にいえば、第１切刃部１４１ｃ及び第２切刃部１４２ｃの交点位置に、糸捕捉谷部１４３が設けられている。第１糸誘導部１４１ｂ及び第２糸誘導部１４２ｂは、操作糸を糸捕捉谷部１４３に向けて誘導する本発明の誘導部であり、糸捕捉谷部１４３は本発明の捕捉部である。本実施例の糸捕捉谷部１４３は、表裏に第１切刃部１４１ｃ及び第２切刃部１４２ｃを備えることにより、第１糸誘導部１４１ｂ及び第２糸誘導部１４２ｂにより誘導された操作糸を、単に堅固に捕捉するに止まらず、該操作糸を切断するように作用するものである。
さらに、上述したように、第２球戻り防止片基体１４２ａの図示左側上部から立設されてなる球戻り防止片起立部１４２ｅは、図１１に示すように、第２球戻り防止片１４２から左側方すなわちガラス板側間隙部１４９への操作糸２１ａの移動を規制するものである。
本実施例の球戻り防止部材１３０は、以上のような構成を備えるものであるが、次にその作用について図１０乃至図１３を参照して説明する。
【００５９】
図１０及び図１２は、球戻り防止部材１３０の操作糸２１ａ、２１ｂに対する作用を説明する概略説明図であり、図１１及び図１３は、球戻り防止部材１３０の操作糸２１ａ、２１ｂに対する作用を説明する概略側面図である。
糸付き球ゴトに係る操作糸２１ａ、２１ｂが固着された遊技球２０が、遊技領域３に発射された直後の状態を図１０に示した。このとき、不正行為者は、遊技領域３に到達した遊技球２０を、普図作動入賞口１６に反復継続して入賞させて不当に利得を得るために、操作糸２１ａ、２１ｂの遊技球２０に固着された部分の反対側の部分を押し引きして操作することで、任意の位置に配置しようと試みる。操作される操作糸２１ａ、２１ｂは、このとき、球戻り防止片１４０の図示略上端部を頂点として、遊技釘４等に掛け渡されて、略山形の状態にある。更にいえば、球戻り防止片１４０の図示上端部を頂点として、遊技球２０に固着された側（図示右側）には遊技球２０の質量に対応した下向きの荷重が掛かり、対する反対側（図示左側）には、前記荷重と略同じ大きさの荷重が下向きに加えられることで、均衡を保っている。不正行為者が、操作糸２１ａ、２１ｂを押し引き操作すると、左右両側の操作糸２１ａ、２１ｂは、図示矢印のように進退する。合わせて、球戻り防止片１４０も揺動し、図示しない円弧状に、頂点を変位させる。
【００６０】
図１１には、当該状態を側面から見た図を示した。図には、球戻り防止部材１３０に係る、球戻り防止片１４０の図示２箇所の上端部すなわち球戻り防止片延設部１４１ｅの上部及び球戻り防止片起立部１４２ｅの右側すなわちガラス板側間隙１４９の反対側に、操作糸２１ｂ及び２１ａの断面を円形で示した。
なお、図には球戻り防止片延設部１４１ｅの上部は、略水平に形成されている。球戻り防止片延設部１４１ｅは、後述するが、球戻り防止片１４０に支持されず又は脱落して、遊技盤側間隙１４８に掛かろうとする操作糸や、遊技盤１に近接した操作糸を支持する機能を少なくとも、備えていれば良いが、さらに支持した操作糸２１ｂを第１糸誘導部１４１ｂへ誘導可能なように、図示右側（遊技盤１側）から左側（ガラス板１４６側）に向けて下り傾斜した構成を備えていれば尚、好ましい。このように構成される球戻り防止片延設部１４１ｅは、遊技盤側間隙１４８に入り込むべき操作糸２１ｂや、或いは遊技盤１の表面に近接した位置の操作糸２１ｂを確実に支持可能とし、さらに、第１糸誘導部１４１ｂに連接されることによって、支持した操作糸２１ｂを第１糸誘導部１４１ｂへ誘導可能に構成されてなる。
また、第２糸誘導部１４２ｂの上方に位置する操作糸２１ａに対して、球戻り防止片起立部１４２ｅは、操作糸２１ａがガラス板側間隙１４９に脱落するのを防止すると共に、操作糸２１ａを第２糸誘導部１４２ｂへ誘導するように機能するものである。
第１糸誘導部１４１ｂおよび第２糸誘導部１４２ｂは、操作糸２１ａ、２１ｂを、糸捕捉谷部１４３に向けて収束して誘導するように機能する。また、図示した操作糸２１ａ、２１ｂの断面位置を頂点として、操作糸２１ａ、２１ｂの両側は上述した下向き荷重が加わっており、該頂点にはこれらの荷重に対応した下向きの荷重が加わっている。このため、さらに効果的に、第１糸誘導部１４１ｂおよび第２糸誘導部１４２ｂは、糸捕捉谷部１４３に向けて、夫々操作糸２１ａ、２１ｂを、誘導可能となる。このように、第１糸誘導部１４１ｂ或いは第２糸誘導部１４２ｂによって操作糸２１ａ、２１ｂが糸捕捉谷部１４３へ誘導されると、次いで図１２及び図１３に示す状態となる。
【００６１】
図１２には、操作糸２１ａ、２１ｂが第１糸誘導部１４１ｂ或いは第２糸誘導部１４２ｂによって糸捕捉谷部１４３へ誘導されて糸捕捉谷部１４３に捕捉されたことにより、遊技球２０に固着された操作糸２１ａ、２１ｂの頂点位置は、図１０に示した位置よりも下方に変位し、さらに切断された状態が示されている。
糸捕捉谷部１４３に操作糸２１ａ、２１ｂが捕捉されると、不正行為者による操作糸２１ａ、２１ｂの操作が極めて困難になる。すなわち、糸捕捉谷部１４３に捕捉された位置から図示右側の遊技球２０までの長さは変化せず、一方左側の部分は、不正行為者が押すと撓み、引くと一定位置を限界としてそれ以上は引くことが不能となる。
また、糸捕捉谷部１４３はそもそも、第１糸誘導部１４１ｂ及び第２糸誘導部１４２ｂの異なる直線部を交差させることで形成した谷部である。これにより、理論的には谷部が深くなるほど狭隘となるように構成され、操作糸２１ａ、２１ｂをより確実に捕捉し、操作が極めて困難とすることができる。
さらに、上記谷部を形成するために交差させる本実施例の直線部には、第１切刃部１４１ｃおよび第２切刃部１４２ｃが表裏に設けられていることで、より強く捕捉されていくにしたがって、操作糸２１ａ、２１ｂを切断可能であり、切断によって完全に操作不能とすることが可能となっている。
【００６２】
図１３には、当該状態を側面から見た図を示した。図１１に示した操作糸２１ａ、２１ｂが表裏に第１切刃部１４１ｃおよび第２切刃部１４２ｃを備えた糸捕捉谷部１４３に誘導され、堅固に捕捉され、さらに下方に向かう荷重によって、切断された状態が示されている。
これにより、糸付き球ゴトに対して、操作糸２１ａ、２１ｂが固着された遊技球２０が発射されると、本実施例の球戻り防止部材１３０の球戻り防止片１４０は、遊技球２０を遊技領域３に向かって誘導し且つ遊技球２０が遊技領域３へ進入することを許容する。また、遊技領域３から発射通路１５の逆行する球戻りを阻止する。さらに、遊技領域３に進入した遊技球２０に固着された操作糸２１ａ、２１ｂを、第１糸誘導部１４１ｂ或いは第２糸誘導部１４２ｂにて支持し、該第１糸誘導部１４１ｂ或いは第２糸誘導部１４２ｂにて糸捕捉谷部１４３に誘導し、次いで糸捕捉谷部１４３にて操作糸２１ａ、２１ｂを堅固に捕捉（保持）することで、操作糸２１ａ、２１ｂの操作を著しく困難にし、さらに第１切刃部１４１ｃおよび第２切刃部１４２ｃによって、操作糸２１ａ、２１ｂを切断することで完全に操作不能とするように構成される。
［実施例３］
【００６３】
本発明に係る実施例３の構成および作用について、図１４および図１５を参照して説明する。図１４および図１５は、本実施例の異常検知手段を備えた球戻り防止部材３０の構成を説明する概略説明図である。なお、基本的な球戻り防止部材の構成は、上述した実施例１のものと同様であるので、説明を割愛するものとする。
本実施例の球戻り防止部材３０は、上述した待機姿勢に位置するときに、発射された遊技球２０が遊技領域３に進入するに際して球戻り防止片４０に接触することで、図示時計回転方向に向かって、遊技球２０が通過可能な間隙が発生する角度、すなわち通常変位角度だけ揺動（回転）可能に構成される。
また、ハウジング部材２４の上部には、本発明の検知手段としての検出スイッチ４００が設けられている。検出スイッチ４００は、上記した待機姿勢にある状態や、或いは図１４に示す、球戻り防止部材３０が通常変位角度だけ揺動したときには、検出状態とならないように構成されている。
さらに、本実施例の球戻り防止部材３０は、図１５に示したように、上述した通常変位角度よりも大きな異常変位角度まで揺動（回転）可能に構成される。異常変位角度は、通常の発射された遊技球２０の衝突作用によっては発生しない角度である。つまり、糸付き球ゴトにおいて、操作糸２１が固着された遊技球２０が遊技領域３に進入し、操作糸２１を球戻り防止片４０の上端部で支持した状態、さらに該状態において不正行為者が操作糸２１を押し引きして操作したとき、遊技球２０の自重によって異常変位角度まで回転変位する。該異常変位角度まで揺動変位した球戻り防止片４０は、図示したように、検出スイッチ４００を押下することで検出され、これにより、球戻り防止片４０の回転変位角度が通常では発生しない異常な状態であることを検知可能となっている。検出スイッチ４００は、異常変位角度まで揺動変位したことを検知したとき、異常検知信号を発信可能に構成されている。
【００６４】
本実施例では、検出スイッチ４００から発信された異常検知信号を受信することによって、異常変位角度に変位した旨を報知する報知手段を備える。報知手段としては、スピーカによる音声、ランプ等の発光部材による発光態様、可動役物等による駆動態様、ＬＣＤパネルで構成される演出図柄表示装置６による画像表示態様、等により、報知を行うように構成されている。
報知内容として、現在異常変位角度に変位したことを検知中であること、を報知することで、糸付き球ゴトを未然、または途中で止めさせることが可能となる。また、過去の所定時間内において、異常変位角度への変位を検知した事実があったこと、等を報知することにより、不正行為者が不正行為の後に離席しない場合、過去のゴト行為に対して報知するので、不正行為に対する抑止力になる。
本実施例の検知手段は検知体が所定の変位量に達したことで検知する構成を示したがこれに限定せず、光学式の検知手段等、他の方法を採用しても良い。
本実施例の構成を、上述した実施例１、２、及び、後述する他の実施例や変形例などに組み合わせて実施しても良い。
［変形例１］
【００６５】
上述した本発明の実施例に対して、いくつかの変形例を図１６および図１７を参照して説明する。図１６は、変形例１乃至５の球戻り防止部材を説明する概略説明図であり、図１７は、変形例６乃至９の球戻り防止部材を説明する概略説明図である。何れの変形例も、例えば、上述した実施例１の図６に対応した状態、すなわち遊技盤に取り付けられた状態を右側方から視た図によって説明する。したがって、支軸の突出量が大きい側が遊技盤側であり、小さい側がガラス板側である。
変形例１を図１６（ａ）に示す。本変形例の球戻り防止片２０１は、略縦長矩形状の薄板で形成される。球戻り防止片２０１は、左球戻り防止部２０２と右球戻り防止部２０３とを備える。左球戻り防止部２０２は、右下方に向かって下り傾斜する左糸誘導部２０５を備え、右球戻り防止部２０３は、左下方に向かって下り傾斜する右糸誘導部２０６を備え、左糸誘導部２０５および右糸誘導部２０６の交差する位置に操作糸を捕捉可能な略Ｖ字状に形成されてなる糸捕捉谷部２０４を備える。
本変形例の球戻り防止片２０１は、左糸誘導部２０５または右糸誘導部２０６にて、操作糸を支持すると、捕捉部としての糸捕捉谷部２０４に向かって下り傾斜して形成される誘導部としての左糸誘導部２０５および右糸誘導部２０６によって、操作糸を糸捕捉谷部２０４に誘導し、誘導されてきた操作糸を下向きの鋭角に形成された糸捕捉谷部２０４は捕捉する。これにより、簡易な構成によって操作糸の操作を困難にすることが可能となる。
［変形例２］
【００６６】
変形例２を図１６（ｂ）に示す。本変形例の球戻り防止片２１１は、略縦長矩形状の薄板で形成される。球戻り防止片２１１は、左球戻り防止部２１２と右球戻り防止部２１３とを備える。左球戻り防止部２１２は、左側部最上部から右下方に向かって下り傾斜する左糸誘導部２１５を備え、右球戻り防止部２１３は、右側部最上部から左下方に向かって下り傾斜する右糸誘導部２１６を備え、左糸誘導部２１５および右糸誘導部２１６の交差する位置には操作糸を捕捉可能な略Ｖ字状に形成されてなる糸捕捉谷部２１４を備える。
本変形例の球戻り防止片２１１は、上端部に水平な部分を備えず、左糸誘導部２１５または右糸誘導部２１６で構成される。このため、操作糸を支持すると、捕捉部としての糸捕捉谷部２１４に向かって下り傾斜して形成される誘導部としての左糸誘導部２１５および右糸誘導部２１６によって、操作糸を糸捕捉谷部２１４に誘導し、誘導されてきた操作糸を下向きの鋭角に形成された糸捕捉谷部２１４は捕捉する。これにより、簡易な構成によって、球戻り防止片２１１の上端部の何れの箇所にて支持した操作糸であっても、これの操作を困難にすることが可能となる。
［変形例３］
【００６７】
変形例３を図１６（ｃ）に示す。本変形例の球戻り防止片２２１は、略縦長矩形状の薄板で形成される。球戻り防止片２２１は、左球戻り防止部２２２と右球戻り防止部２２３とを備える。左球戻り防止部２２２は、左側部最上部から右下方に向かって下り緩傾斜する左第１糸誘導部２２５ａと、該左第１糸誘導部２２５ａの下端部からさらに右下方に向かって下り急傾斜する左第２糸誘導部２２５ｂと、を備え、右球戻り防止部２２３は、右側部最上部から左下方に向かって下り緩傾斜する右第１糸誘導部２２６ａと、該右第１糸誘導部２２６ａの下端部からさらに左下方に向かって下り急傾斜する右第２糸誘導部２２６ｂと、を備え、左第２糸誘導部２２５ｂおよび右第２糸誘導部２２６ｂの交差する位置には操作糸を捕捉可能な略Ｖ字状に形成されてなる糸捕捉谷部２２４を備える。
本変形例の球戻り防止片２２１は、上端部に水平な部分を備えず、左第１糸誘導部２２５ａ、左第２糸誘導部２２５ｂ、右第１糸誘導部２２６ａ、および右第２糸誘導部２２６ｂで構成される。このため、操作糸を支持すると、捕捉部としての糸捕捉谷部２２４に向かって下り傾斜して形成される誘導部としての左第１糸誘導部２２５ａ、左第２糸誘導部２２５ｂ、右第１糸誘導部２２６ａ、および右第２糸誘導部２２６ｂによって、操作糸を糸捕捉谷部２２４に誘導し、誘導されてきた操作糸を下向きの鋭角に形成された糸捕捉谷部２２４は捕捉する。これにより、簡易な構成によって、球戻り防止片２２１の上端部の何れの箇所にて支持した操作糸であっても、これの操作を困難にすることが可能となる。また、左球戻り防止部２２２と右球戻り防止部２２３の上端部に、緩傾斜状に形成される左第１糸誘導部２２５ａ、右第１糸誘導部２２６ａを備えることにより、球戻り防止片２２１の左右両側の上端角部が鋭利にならず、パチンコ機の組み付け作業やホールでのメンテナンス作業等の際に、作業者が怪我をし難く、安全性を維持することができる。
［変形例４］
【００６８】
変形例４を図１６（ｄ）に示す。本変形例の球戻り防止片２３１は、略縦長矩形状の薄板で形成される。球戻り防止片２３１は、左球戻り防止部２３２と右球戻り防止部２３３とを備える。左球戻り防止部２３２は、左側部最上部から右下方に向かって下り曲線状に形成される左第１糸誘導部２３５ａと、該左第１糸誘導部２３５ａの下端部からさらに右下方に向かって下り傾斜する左第２糸誘導部２３５ｂと、を備え、右球戻り防止部２３３は、右側部最上部から左下方に向かって下り曲線状に形成される右第１糸誘導部２３６ａと、該右第１糸誘導部２３６ａの下端部からさらに左下方に向かって下り傾斜する右第２糸誘導部２３６ｂと、を備え、左第２糸誘導部２３５ｂおよび右第２糸誘導部２３６ｂの交差する位置には操作糸を捕捉可能な略Ｖ字状に形成されてなる糸捕捉谷部２３４を備える。
本変形例の球戻り防止片２３１は、上端部に水平な部分を備えず、左第１糸誘導部２３５ａ、左第２糸誘導部２３５ｂ、右第１糸誘導部２３６ａ、および右第２糸誘導部２３６ｂで構成される。このため、操作糸を支持すると、捕捉部としての糸捕捉谷部２３４に向かって下り傾斜して形成される誘導部としての左第１糸誘導部２３５ａ、左第２糸誘導部２３５ｂ、右第１糸誘導部２３６ａ、および右第２糸誘導部２３６ｂによって、操作糸を糸捕捉谷部２３４に誘導し、誘導されてきた操作糸を下向きの鋭角に形成された糸捕捉谷部２３４は捕捉する。これにより、簡易な構成によって、球戻り防止片２３１の上端部の何れの箇所にて支持した操作糸であっても、これの操作を困難にすることが可能となる。また、左球戻り防止部２３２と右球戻り防止部２３３の上端部に、下り曲線状に形成される左第１糸誘導部２３５ａ、右第１糸誘導部２３６ａを備えることにより、球戻り防止片２３１の左右両側の上端角部が鋭利にならず、パチンコ機の組み付け作業やホールでのメンテナンス作業等の際に、作業者が怪我をし難く、安全性を維持することができる。また、誘導部が曲線と該曲線に接する直線で構成されるようにすることも可能で、これにより、誘導経路に角部がなく、操作糸のスムーズな誘導が可能となる。
［変形例５］
【００６９】
変形例５を図１６（ｅ）に示す。本変形例の球戻り防止片２４１は、略縦長矩形状の薄板で形成される。球戻り防止片２４１は、左球戻り防止部２４２と、右球戻り防止部２４３と、中球戻り防止部２４４とを備える。左球戻り防止部２４２は、左側部最上部から右下方に向かって下り曲線状に形成される左第１糸誘導部２４６ａと、該左第１糸誘導部２４６ａの下端部からさらに右下方に向かって下り傾斜する左第２糸誘導部２４６ｂと、を備え、右球戻り防止部２４３は、右側部最上部から左下方に向かって下り曲線状に形成される右第１糸誘導部２４７ａと、該右第１糸誘導部２４７ａの下端部からさらに左下方に向かって下り傾斜する右第２糸誘導部２４７ｂと、を備え、さらに、中球戻り防止部２４４は、左右両側に向かって下り曲線状に形成される中第１糸誘導部２４８ａと、該中第１糸誘導部２４８ａの左下端部からさらに左下方に向かって下り傾斜して形成される中第２糸誘導部２４８ｂと、該中第１糸誘導部２４８ａの右下端部からさらに右下方に向かって下り傾斜して形成される中第２糸誘導部２４８ｃと、を備え、左第２糸誘導部２４６ｂおよび中第１糸誘導部２４８ｂの交差する位置と、右第２糸誘導部２４７ｂおよび中第２糸誘導部２４８ｃの交差する位置には、夫々、操作糸を捕捉可能な略Ｖ字状に形成されてなる左糸捕捉谷部２４５ａ、右糸捕捉谷部２４５ｂを備える。
本変形例の球戻り防止片２４１は、上端部に水平な部分を備えず、上記した各種の誘導部で構成される。このため、操作糸を支持すると、捕捉部としての左糸捕捉谷部２４５ａ、右糸捕捉谷部２４５ｂに向かって下り傾斜して形成される誘導部としての左第１糸誘導部２４６ａ、左第２糸誘導部２４６ｂ、右第１糸誘導部２４７ａ、右第２糸誘導部２４７ｂ、中第１糸誘導部２４８ａ、中第２糸誘導部２４８ｂ、および中第２糸誘導部２４８ｃによって、操作糸を左糸捕捉谷部２４５ａ、右糸捕捉谷部２４５ｂに誘導し、誘導されてきた操作糸を下向きの鋭角に形成された左糸捕捉谷部２４５ａ、右糸捕捉谷部２４５ｂは捕捉する。これにより、簡易な構成によって、球戻り防止片２４１の上端部の何れの箇所にて支持した操作糸であっても、この操作糸の操作を困難にすることが可能となる。また、左球戻り防止部２４２と右球戻り防止部２４３と中球戻り防止部２４４の上端部に、下り曲線状に形成される左第１糸誘導部２４６ａ、右第１糸誘導部２４７ａ、中第１糸誘導部２４８ａ、を備えることにより、球戻り防止片２４１の左中右何れの上端角部も鋭利にならず、パチンコ機の組み付け作業やホールでのメンテナンス作業等の際に、作業者が怪我をし難く、安全性を維持することができる。
さらに、中球戻り防止部２４４を備えることにより、発射されて遊技領域へ進入する遊技球を誘導し且つ軌道を決定する球戻り防止部材の機能を低下させることなく、操作糸の捕捉を可能とすることができる。つまり、発射された遊技球が接触する可能性の高い球戻り防止片の左右方向中央部に中球戻り防止部２４４を備えることで、接触の開始からより長期間に亘って遊技球に作用し続けることが可能となる。
［変形例６］
【００７０】
変形例６を図１７（ａ）に示す。本変形例の球戻り防止片２５１は、第１球戻り防止片２５１ａと第２球戻り防止片２５１ｂで構成され、何れも、略縦長矩形状の薄板で形成される。第１球戻り防止片２５１ａは、左球戻り防止部２５２と右球戻り防止部２５３と、を備える。第２球戻り防止片２５１ｂは、中球戻り防止部２５４を備える。左球戻り防止部２５２は、左側部最上部から右下方に向かって下り曲線状に形成される左第１糸誘導部２５６ａと、該左第１糸誘導部２５６ａの下端部からさらに右下方に向かって下り傾斜する左第２糸誘導部２５６ｂと、を備え、右球戻り防止部２５３は、右側部最上部から左下方に向かって下り曲線状に形成される右第１糸誘導部２５７ａと、該右第１糸誘導部２５７ａの下端部からさらに左下方に向かって下り傾斜する右第２糸誘導部２５７ｂと、を備える。さらに、中球戻り防止部２５４は、左右両側に向かって下り曲線状に形成される中第１糸誘導部２５８ａと、該中第１糸誘導部２５８ａの左下端部からさらに左下方に向かって下り傾斜して形成される中第２糸誘導部２５８ｂと、中第１糸誘導部２５８ａの右下端部からさらに右下方に向かって下り傾斜して形成される中第２糸誘導部２５８ｃと、を備える。さらに、左第２糸誘導部２５６ｂおよび中第１糸誘導部２５８ｂの交差する位置と、右第２糸誘導部２５７ｂおよび中第２糸誘導部２５８ｃの交差する位置には、夫々、操作糸を捕捉可能な略Ｖ字状に形成されてなる左糸捕捉谷部２５５ａ、右糸捕捉谷部２５５ｂを備える。
本変形例の球戻り防止片２５１は、上端部に水平な部分を備えず、上記した各種の誘導部で構成される。このため、操作糸を支持すると、捕捉部としての左糸捕捉谷部２５５ａ、右糸捕捉谷部２５５ｂに向かって下り傾斜して形成される誘導部としての左第１糸誘導部２５６ａ、左第２糸誘導部２５６ｂ、右第１糸誘導部２５７ａ、右第２糸誘導部２５７ｂ、中第１糸誘導部２５８ａ、中第２糸誘導部２５８ｂ、および中第２糸誘導部２５８ｃによって、操作糸を左糸捕捉谷部２５５ａ、右糸捕捉谷部２５５ｂに誘導し、誘導されてきた操作糸を下向きの鋭角に形成された左糸捕捉谷部２５５ａ、右糸捕捉谷部２５５ｂは捕捉する。これにより、簡易な構成によって、球戻り防止片２５１の上端部の何れの箇所にて支持した操作糸であっても、これの操作を困難にすることが可能となる。また、左球戻り防止部２５２と右球戻り防止部２５３と中球戻り防止部２５４の上端部に、下り曲線状に形成される左第１糸誘導部２５６ａ、右第１糸誘導部２５７ａ、中第１糸誘導部２５８ａ、を備えることにより、球戻り防止片２５１の左中右何れの上端角部も鋭利にならず、パチンコ機の組み付け作業やホールでのメンテナンス作業等の際に、作業者が怪我をし難く、安全性を維持することができる。
また、中球戻り防止部２５４を備えることにより、発射されて遊技領域へ進入する遊技球を誘導し且つ軌道を決定する球戻り防止部材の機能を低下させることなく、操作糸の捕捉を可能とすることができる。つまり、発射された遊技球が接触する可能性の高い球戻り防止片の左右方向中央部に中球戻り防止部２５４を備えることで、接触の開始からより長期間に亘って遊技球に作用し続けることが可能となる。
さらに、球戻り防止片２５１は、第１球戻り防止片２５１ａと第２球戻り防止片２５１ｂを重ね合わせて構成したことで、左糸捕捉谷部２５５ａおよび右糸捕捉谷部２５５ｂを、それぞれ２種類の直線部を交差させることで形成し、これによりＶ字状の最下位置に、丸み部分や平坦部分が形成されることがないため、操作糸が堅固に捕捉され易くなる。
［変形例７］
【００７１】
変形例７を図１７（ｂ）に示す。本変形例の球戻り防止片２６１は、上述した変形例５と略同じ構成である。相違する点について説明し、他は割愛する。本変形例の捕捉部は、図示左右２箇所形成された略Ｖ字状の最下部から、それぞれ下方に向かって所定長さのスリット状で形成されてなる、糸捕捉スリット部２６５ａおよび糸捕捉スリット部２６５ｂである。
本変形例の球戻り防止片２６１は、上端部に水平な部分を備えず、図示した各種の誘導部で構成される。このため、操作糸を支持すると、捕捉部としての糸捕捉スリット部２６５ａ、糸捕捉スリット部２６５ｂに向かって下り傾斜して形成される誘導部によって、操作糸を糸捕捉スリット部２６５ａおよび糸捕捉スリット部２６５ｂに誘導し、誘導されてきた操作糸を下向きのスリットに形成された糸捕捉スリット部２６５ａおよび糸捕捉スリット部２６５ｂは捕捉する。当該スリットは、操作糸の直径に対して、この直径より小さく、操作糸の材質等も考慮して極めて小さなクリアランスを設定することが好ましい。さらに、スリットの上部より下部に向かうほど、クリアランスが減少していくように構成されていても良い。これにより、簡易な構成によって、球戻り防止片２５１の上端部の何れの箇所にて支持した操作糸であっても、これの操作を困難にすることが可能となる。また、操作が困難になった状態を脱却しようと無理な荷重を操作糸に加えて操作するほどに、益々堅固に捕捉するようになり、より確実に操作を困難にすることができる。
［変形例８］
【００７２】
変形例８を図１７（ｃ）に示す。本変形例の球戻り防止片２７１は、第１球戻り防止片２７１ａと第２球戻り防止片２７１ｂで構成され、何れも、略縦長矩形状の薄板で形成される。本変形例の基本的な構成および作用は、上述した変形例６と同じであるため、相違点のみ説明し、他は割愛する。
左糸捕捉谷部２７５ａおよび右糸捕捉谷部２７５ｂを、それぞれ２種類の直線部を交差させることで形成し、当該直線部に左第２切刃部２７６ａ、右第２切刃部２７６ｂ、左第１切刃部２７７ａ、および右第１切刃部２７７ｂを備えた。
このように構成することにより、Ｖ字状の最下位置に、丸み部分や平坦部分が形成されることがないため、操作糸が堅固に捕捉され易くなることに加えて、さらに操作糸に加圧されて左糸捕捉谷部２７５ａおよび右糸捕捉谷部２７５ｂに押し付けられると、操作糸は切断されて、パチンコ機外からの操作糸による操作が完全に不能となる。
［変形例９］
【００７３】
変形例９を図１７（ｄ）に示す。本変形例の球戻り防止片２８１は、第１球戻り防止片２８１ａと第２球戻り防止片２８１ｂで構成され、何れも、略縦長矩形状の薄板で形成される。本変形例の基本的な構成および作用は、上述した変形例８と同じであるため、相違点のみ説明し、他は割愛する。
第１球戻り防止片２８１ａの左球戻り防止部の左上部には、裏面側方向すなわち本変形例の球戻り防止部材が遊技盤に取り付けられた際の発射通路側方向に向かって、立設される脱落防止部としての球戻り防止片起立部２８３を備える。
また、第１球戻り防止片２８１ａの右球戻り防止部の右上部には、図示右側方向すなわち本変形例の球戻り防止部材が遊技盤に取り付けられた際の遊技盤側方向に向かって、延設される延設部としての球戻り防止片延設部２８２を備える。
このように構成することにより、変形例８の効果に加えて、球戻り防止片起立部２８３が操作糸の脱落を防止することでより確実に操作糸の捕捉或いは切断を可能とする。また、球戻り防止片延設部２８２は、操作糸が球戻り防止片と他の構成要素（例えば、遊技盤やガラス板）との間隙に入り込むことを防止し、より確実に操作糸の捕捉或いは切断を可能とする。
［実施例４］
【００７４】
次いで、図１８を参照して、本発明に係る実施例４について説明する。図１８は、実施例４の構成を説明する概略三面図である。本実施例の球戻り防止部材に係る基本的な構成は、上述した他の実施例や変形例と同じであるので、相違する点、すなわち球戻り防止片３４０の構成および作用について説明し、他は割愛する。
本実施例の球戻り防止部材３３０は、略縦長矩形状の薄板状に形成される球戻り防止片３４０と、該球戻り防止片３４０を保持する球戻り防止片保持体３３４と、を備える。球戻り防止片保持体３３４の基本構成は、上述した他の実施例と同様である。
球戻り防止片３４０は、単体の薄板で構成されており、その上端部には図１８（ｂ）に示すように、左側部に第１球戻り防止片３４２、右側部に第２球戻り防止片３４３、中央部に第３球戻り防止片３４５を備える。当該、第１球戻り防止片３４２、第２球戻り防止片３４３、および第３球戻り防止片３４５は、遊技領域からの遊技球の逆行を防止すると共に、発射された遊技球を遊技領域へ誘導し且つ軌道を調整するものである。これらの球戻り防止片は、夫々、裏面側に発射された遊技球に接触し作用するための、第１球戻り防止面部３４２ａ、第２球戻り防止面部３４３ａ、および第３球戻り防止面部３４５ａを備える。
これら３箇所に設けられた球戻り防止片の２箇所の間隙には、左糸誘導片３４６と右糸誘導片３４７が設けられている。本実施例の糸誘導片の群は、球戻り防止片の群に対して、僅かに傾斜して（図１８（ａ）参照）所謂千鳥刃状に設けられている。本実施例の糸誘導片と球戻り防止片のクリアランスは極めて小さく設定されている。左糸誘導片３４６と右糸誘導片３４７の夫々の裏面部には、左糸誘導面部３４６ａと右糸誘導面部３４７ａが設けられている。左糸誘導面部３４６ａと右糸誘導面部３４７ａは、操作糸を支持したとき、操作糸を後述する捕捉部へ誘導する面部であり、本発明の誘導部である。なお、左糸誘導片３４６と右糸誘導片３４７は、支持した操作糸を誘導し易いように、僅かに捻じって構成（図１８（ｃ）参照）されている。具体的には、左糸誘導面部３４６ａは左第１糸捕捉スリット部３４８ａに、右糸誘導面部３４７ａは右第１糸捕捉スリット部３４９ａに、それぞれ傾斜しており、これにより操作糸を誘導し易く構成されている。
本実施例における捕捉部について説明する。捕捉部は、第１球戻り防止片３４２、第２球戻り防止片３４３、および第３球戻り防止片３４５と、左糸誘導片３４６および右糸誘導片３４７との重なり合ったスリット部として、左第１糸捕捉スリット部３４８ａ、左第２糸捕捉スリット部３４８ｂ、右第１糸捕捉スリット部３４９ａ、および右第２糸捕捉スリット部３４９ｂを備える。これらのスリット部の隙間は、操作糸の直径寸法より小さく、操作糸を堅固に捕捉可能な大きさで形成される。
【００７５】
次に、本実施例の作用について説明する。図１８（ａ）に示す待機姿勢において、球戻り防止片３４０の図示左側方から発射された遊技球が接近すると、該遊技球を第１球戻り防止面部３４２ａ、第２球戻り防止面部３４３ａ、および第３球戻り防止面部３４５ａが受け止めて、遊技球の衝突力によって球戻り防止部材３３０は時計回転方向に揺動（回転）して、遊技球を遊技領域へ誘導する。
遊技領域へ誘導された遊技球に固着された操作糸が、左糸誘導面部３４６ａあるいは右糸誘導面部３４７ａにて支持されると、該誘導面部の傾斜面の作用によって、左糸誘導面部３４６ａは左第１糸捕捉スリット部３４８ａに、右糸誘導面部３４７ａは右第１糸捕捉スリット部３４９ａに誘導する。また、操作糸の状態によっては、左糸誘導面部３４６ａや右糸誘導面部３４７ａに誘導されずに、左第２糸捕捉スリット部３４８ｂ、および右第２糸捕捉スリット部３４９ｂに自然に入り込む場合もある。
こうして、何れかの糸捕捉スリット部の上端部に操作糸が臨むと、操作糸に負荷されている下向き荷重によって、操作糸は糸捕捉スリット部に挟まれていき、操作糸の断面が圧縮変形して、堅固に捕捉することで、操作性を著しく困難にすることが可能となる。
以上、実施例４について説明したが、このような球戻り防止片の構成に加えて、延設部や脱落防止部を備えても良い。また、上述した検知手段や報知手段を備えても良い。
【００７６】
以上、本発明に係る実施例を説明してきたが、本発明の技術思想を逸脱しない限り、これに限定するものではない。
例えば、上述した実施例では、球戻り防止片の一方に延設部を備え、他方に脱落防止部を備えた例を示したが、延設部と脱落防止部の何れか１つのみを備えるものでも良い。このように構成することにより、弾球遊技機の種類によって遊技球の軌道の傾向も異なるので、個別に必要且つ好適な構成を備えることで、経済的であり、また球戻り防止片の揺動も軽快となるので、本来の球戻りを防止する機能を低下させずに、操作糸（紐体）の操作を困難あるいは不能とすることが可能となる。
【００７７】
また、上述した実施例では、球戻り防止片の一方に延設部のみを備え、他方に同じく脱落防止部のみを備えた例を示したが、延設部と脱落防止部を併せて備えるものでも良い。このように構成することにより、より広範囲の操作糸（紐体）を捕獲し、これを確実に誘導部へ誘導するため、糸付き球ゴトの防止に一層資することとなり、高い確率で操作糸（紐体）の操作を困難あるいは不能とすることが可能となる。
【００７８】
また、上述した実施例では、球戻り防止片の遊技盤側に延設部を備え、ガラス板側に脱落防止部を備えた例を示したが、延設部と脱落防止部の配備位置を入れ替えても良い。このように構成することで、弾球遊技機の種類による軌道の偏りに対応することが可能となり、軌道の傾向に柔軟に対応させて、操作糸（紐体）の操作を困難あるいは不能とすることが可能となる。
【００７９】
また、球戻り防止片を形成する素材は、適宜選択可能である。耐摩耗性の高い樹脂や、セラミック、ばね鋼等の鉄を含む金属等で構成しても良い。また、捕捉部には摩擦計数の高い素材を用いても良い。また高い摩擦力を発生させるために表面粗さを粗く形成するようにしても良い。切刃部となる箇所には、金属やファインセラミックを用いることが好適であるが、紐体の剛性にも左右されるので、紐体を切断するに充分な性能を発揮出来るのであれば、これに限定することはない。
【００８０】
また、球戻り防止片を第１保持体および第２保持体で保持し、錘体および保持体当接面部などを備えた球戻り防止部材を例示したが、これに限定することはない。発射された遊技球を発射通路から遊技領域へ誘導かつ許容し、遊技領域から発射通路へ逆行することを防止する機能を備えた球戻り防止部材であれば他の構成であっても良い。本発明の特徴は、球戻り防止部材が従来の機能に加えて、紐体を堅固に捕捉することで紐体の操作を困難にする点にあるため、当該効果を奏することが可能であれば、他の構成でも良い。
【００８１】
また、上述した実施例や変形例には、球戻り防止片に捕捉部を１箇所だけ備えた例を示したものもあったが、複数個所設けても良い。捕捉部を複数個所備える場合は、球戻り防止片の幅寸法を捕捉部で等間隔に分割されるように配設することが好ましい。このように構成することで、球戻り防止片の上端部の何れの位置に支持される紐体も、およそ均しく捕捉することが可能となる。
【００８２】
また、捕捉部を均等な距離で複数箇所備える場合は、奇数個（箇所）よりも、偶数個（箇所）だけ配設することが好ましい。このように構成することで、球戻り防止片の幅寸法の中央位置に、２箇所の捕捉部で挟まれて設けられる球戻り防止部を配設することになる。このように構成することにより、発射された遊技球が接触する可能性の高い部分に球戻り防止部を備えることになり、発射された遊技球に接触して遊技領域へ誘導する機能を低下させることなく、紐体の操作性を困難とすることが可能となる。
【００８３】
さらに、上述した実施例および変形例で、本発明の捕捉部として、紐体を挟み込んで堅固に捕捉可能な程度の間隙で形成されるスリット部を例示したが、紐体を堅固に捕捉可能な機能を発揮する構成であれば、他の方法でも良い。
例えば、球戻り防止片に対してスリット部が直交しないように形成されたものでも良い。図２の実施例１の球戻り防止片４０を参照して説明すると、糸捕捉スリット部４０ｃを球戻り防止片基体４０ｅの平面に対して直交して切れ目を入れるのではなく、つまり遊技盤表面に平行な直線に対して所定の角度で傾斜して切れ目を入れるように構成する。結果的には、弾球遊技機を俯瞰視したときに、切れ目の出口と入口が前後方向でずれて形成されるようになる。
このようにすることにより、糸捕捉スリット部４０ｃに捕捉された紐体は、発射通路側から球戻り防止片基体４０ｅに到達すると、球戻り防止片基体４０ｅの厚み部分で所定の角度で屈折した後で、遊技領域側の固着された遊技球まで伸びるようになる。つまり、球戻り防止片の表裏において紐体が屈曲することで、押し引き操作しようとしても摩擦により容易には行えなくすることが可能となる。
また、屈折の度合いが高いほど堅固に捕捉できるので、球戻り防止片の厚みを適宜、厚く設定することで、簡易な構成により、操作を著しく困難にすることができる。
【００８４】
また、左糸誘導部（誘導部）４０ａと右糸誘導部（誘導部）４０ｂが収束する位置、すなわち糸捕捉スリット部４０ｃの上端部では、球戻り防止片基体４０ｅの平面に対して直交しており、下方に向かうにしたがって、直交から非直交に変化して所定の角度で切れ目が形成されるように構成しても良い。このように構成することにより、糸付き球ゴトにおける紐体を球戻り防止片の誘導部が誘導してきたとき、球戻り防止片基体４０ｅの平面に対して直交するスリット部によって容易に捕捉し、遊技球等の下方への圧力によってスリット部を下降するにしたがい、スリット部が球戻り防止片基体４０ｅの平面に対して非直交することで、堅固に捕捉することが可能となる。このように、上記、非直交したスリット部への移行が障害なく進行、完了するので、より確実に紐体の堅固な捕捉を可能とすることができる。
【符号の説明】
【００８５】
２０：  遊技球
２１：  操作糸（紐体）
２１ａ：  操作糸（紐体）
２１ｂ：  操作糸（紐体）
３０：  球戻り防止部材
４０：  球戻り防止片
４０ａ：  左糸誘導部（誘導部）
４０ｂ：  右糸誘導部（誘導部）
４０ｃ：  糸捕捉スリット部（捕捉部）
１３０：  球戻り防止部材
１４０：  球戻り防止片
１４１ｂ：  第１糸誘導部（誘導部）
１４１ｃ：  第１切刃部（切刃部）
１４１ｅ：  球戻り防止片延設部（延設部）
１４２ｂ：  第２糸誘導部（誘導部）
１４２ｃ：  第２切刃部（切刃部）
１４２ｅ：  球戻り防止片起立部（脱落防止部）
１４３：  糸捕捉谷部（捕捉部）
１４５：  延設部用凹部（凹部）
２０１：  球戻り防止片
２０４：  糸捕捉谷部（捕捉部）
２０５：  左糸誘導部（誘導部）
２０６：  右糸誘導部（誘導部）
２１１：  球戻り防止片
２１４：  糸捕捉谷部（捕捉部）
２１５：  左糸誘導部（誘導部）
２１６：  右糸誘導部（誘導部）
２２１：  球戻り防止片
２２４：  糸捕捉谷部（捕捉部）
２２５ａ：  左第１糸誘導部（誘導部）
２２５ｂ：  左第２糸誘導部（誘導部）
２２６ａ：  右第１糸誘導部（誘導部）
２２６ｂ：  右第２糸誘導部（誘導部）
２３１：  球戻り防止片
２３４：  糸捕捉谷部（捕捉部）
２３５ａ：  左第１糸誘導部（誘導部）
２３５ｂ：  左第２糸誘導部（誘導部）
２３６ａ：  右第１糸誘導部（誘導部）
２３６ｂ：  右第２糸誘導部（誘導部）
２４１：  球戻り防止片
２４５ａ：  左糸捕捉谷部（捕捉部）
２４５ｂ：  右糸捕捉谷部（捕捉部）
２４６ａ：  左第１糸誘導部（誘導部）
２４６ｂ：  左第２糸誘導部（誘導部）
２４７ａ：  右第１糸誘導部（誘導部）
２４７ｂ：  右第２糸誘導部（誘導部）
２４８ａ：  中第１糸誘導部（誘導部）
２４８ｂ：  中第２糸誘導部（誘導部）
２４８ｃ：  中第２糸誘導部（誘導部）
２５１：  球戻り防止片
２５５ａ：  左糸捕捉谷部（捕捉部）
２５５ｂ：  右糸捕捉谷部（捕捉部）
２５６ａ：  左第１糸誘導部（誘導部）
２５６ｂ：  左第２糸誘導部（誘導部）
２５７ａ：  右第１糸誘導部（誘導部）
２５７ｂ：  右第２糸誘導部（誘導部）
２５８ａ：  中第１糸誘導部（誘導部）
２５８ｂ：  中第２糸誘導部（誘導部）
２５８ｃ：  中第２糸誘導部（誘導部）
２６１：  球戻り防止片
２６５ａ：  糸捕捉スリット部（捕捉部）
２６５ｂ：  糸捕捉スリット部（捕捉部）
２７１：  球戻り防止片
２７５ａ：  左糸捕捉谷部（捕捉部）
２７５ｂ：  右糸捕捉谷部（捕捉部）
２７６ａ：  左第２切刃部（切刃部）
２７６ｂ：  右第２切刃部（切刃部）
２７７ａ：  左第１切刃部（切刃部）
２７７ｂ：  右第１切刃部（切刃部）
２８１：  球戻り防止片
２８２：  球戻り防止片延設部（延設部）
２８３：  球戻り防止片起立部（脱落防止部）
３３０：  球戻り防止部材
３４０：  球戻り防止片
３４６ａ：  左糸誘導面部（誘導部）
３４７ａ：  右糸誘導面部（誘導部）
３４８ａ：  左第１糸捕捉スリット部（捕捉部）
３４８ｂ：  左第２糸捕捉スリット部（捕捉部）
３４９ａ：  右第１糸捕捉スリット部（捕捉部）
３４９ｂ：  右第２糸捕捉スリット部（捕捉部）
４００：  検出スイッチ（検知手段）
【図１】
0005853230.tif 000002
【図２】
0005853230.tif 000003
【図３】
0005853230.tif 000004
【図４】
0005853230.tif 000005
【図５】
0005853230.tif 000006
【図６】
0005853230.tif 000007
【図７】
0005853230.tif 000008
【図８】
0005853230.tif 000009
【図９】
0005853230.tif 000010
【図１０】
0005853230.tif 000011
【図１１】
0005853230.tif 000012
【図１２】
0005853230.tif 000013
【図１３】
0005853230.tif 000014
【図１４】
0005853230.tif 000015
【図１５】
0005853230.tif 000016
【図１６】
0005853230.tif 000017
【図１７】
0005853230.tif 000018
【図１８】
0005853230.tif 000019